(57)【要約】【課題】、ベンチの座面をそのまま傷病者の運搬に用いながら、簡単な操作で座面を脚部から着脱でき、さらに、故障が少ないベンチを提供する。【解決手段】座面と脚部とが着脱可能に構成され前記座面を担架として使用できるベンチにおいて、前記座面を前記脚部に対して前後方向及び上下方向の動きを規制する第１係止部と、前記座面を前記脚部に対して前後左右方向の動きを規制する第２係止部と、前記第２係止部の上下方向の動きを規制する状態又は規制しない状態に操作可能な第３係止部と、を備え、前記第３係止部を規制しない状態で前記第２係止部を上下方向に移動させ、さらに前記第１係止部を左右方向に移動させることで前記座面を前記脚部から取外せる。【選択図】図２
2018050941.tif 000002
【特許請求の範囲】
【請求項１】
座面と脚部とが着脱可能に構成され前記座面を担架として使用できるベンチにおいて、
前記座面を前記脚部に対して前後方向及び上下方向の動きを規制する第１係止部と、
前記座面を前記脚部に対して前後左右方向の動きを規制する第２係止部と、
前記第２係止部の上下方向の動きを規制する状態又は規制しない状態に操作可能な第３係止部と、を備え、
前記第３係止部を規制しない状態で前記第２係止部を上下方向に移動させ、さらに前記第１係止部を左右方向に移動させることで前記座面を前記脚部から取外せることを特徴とするベンチ。
【請求項２】
前記第３係止部が、前記座面と前記脚部との互いに対応する位置に設けられた孔、及び前記孔に挿入される棒状部材を備えることを特徴とする請求項１に記載のベンチ。
【請求項３】
前記棒状部材が前記孔から脱落するのを防止するための、前記孔に挿入され前記孔から突出した前記棒状部材の軸に装着される線バネを備えることを特徴とする請求項２に記載のベンチ。
【請求項４】
前記線バネと前記棒状部材とを引き抜くための紐状部材を備え、
前記線バネと前記棒状部材とが前記紐状部材で連結されていることを特徴とする請求項３に記載のベンチ。
【請求項５】
前記第３係止部が１箇所であることを特徴とする請求項１ないし４のいずれか１項に記載のベンチ。
【請求項６】
前記座面が、上面の板部、及び前記板部の底面かつ前記板部の縁の全周に設けられたフレームを備え、
前記フレームが取っ手として利用できることを特徴とする請求項１ないし５のいずれか １項に記載のベンチ。
【請求項７】
前記フレームの底面に、前記フレームを地面に載置させたときに前記地面から浮かせて、前記フレームを取っ手として掴むための隙間を設ける凸部を設けたことを特徴とする請求項６に記載のベンチ。
【請求項８】
前記座面の少なくとも２箇所に、座面を運搬する人が装着するための肩紐を備えることを特徴とする請求項１ないし７のいずれか１項に記載のベンチ。
【発明の詳細な説明】
【技術分野】
【０００１】
本発明は、座面を脚部から取り外して、傷病者発生時に担架として使用できるベンチに関する。
【背景技術】
【０００２】
従来、災害時等の傷病者発生時に担架として迅速に利用できるベンチを提供することを目的として、特開２０１１−１２０６７２号公報（特許文献１）に、座板部が脚部に対して係止手段を介して取り外し可能に取り付けられたベンチであって、前記係止手段は前記座板部の底面に設けられた係止部と、前記脚部に設けられた被係止部および操作部とを備えるとともに、前記操作部の操作によって、前記被係止部が前記係止部に係止される係止状態と、前記被係止部が前記係止部に係止されない非係止状態とに切り替え可能に構成されるベンチが開示されている。
【０００３】
また、同じく、傷病者発生時に担架として使用できるベンチとして、特開２００２−２３８６９９号公報（特許文献２）に、天井部分を開口とする内部に物品を収納可能な筺体と、前記筺体の開口を密閉すると共に、前記筺体から取り外し可能な天板とを具備し、前記天板を前記筺体の開口を密閉するように取り付けた状態で、前記天板の内側面を担架として使用する際のベッド面とし、外側面を座面とするベンチが開示されている。
【先行技術文献】
【特許文献】
【０００４】
【特許文献１】特開２０１１−１２０６７２号公報
【特許文献２】特開２００２−２３８６９９号公報
【発明の概要】
【発明が解決しようとする課題】
【０００５】
しかし、特許文献１に開示されているベンチでは、実施例において操作が必要な係止手段が４箇所設けられており、緊急を必要とする使用時に、これら４箇所の係止手段を操作する必要があり、時間と手間がかかるおそれがあった。また、係止手段としていわゆるパッチン錠が採用されているところ、この様なパッチン錠を屋外で使用すると、錆び付いて動かなくなる等のおそれがあった。さらに、パッチン錠は、荒く扱うと留め具部分が曲がってしまい、使用できなくなるといったおそれがあった。
【０００６】
また、特許文献２に開示されているベンチでは、実施例において、天板を筐体から取り外す際に、施錠部の施錠を解除したのち、２箇所の蝶番の軸を引き抜く必要があり、やはり担架として使用するにあたり、時間と手間がかかるおそれがあった。さらに、天板の裏面を担架の表面として使用するため、施錠部や蝶番が運搬される負傷者の背中等に当たってしまうおそれもあった。
【０００７】
本発明は、上記の点に鑑みなされたもので、ベンチの座面をそのまま傷病者の運搬に用いながら、簡単な操作で座面を脚部から着脱でき、さらに、故障が少ないベンチを提供することを目的とする。
【課題を解決するための手段】
【０００８】
１）本発明のベンチは、
座面と脚部とが着脱可能に構成され前記座面を担架として使用できるベンチにおいて、
前記座面を前記脚部に対して前後方向及び上下方向の動きを規制する第１係止部と、
前記座面を前記脚部に対して前後左右方向の動きを規制する第２係止部と、
前記第２係止部の上下方向の動きを規制する状態又は規制しない状態に操作可能な第３係止部と、を備え、
前記第３係止部を規制しない状態で前記第２係止部を上下方向に移動させ、さらに前記第１係止部を左右方向に移動させることで前記座面を前記脚部から取外せることを特徴とする。
【０００９】
本発明のベンチによれば、座面を脚部に対して左右方向の動きのみ規制しない第１係止部と、上下方向の動きのみ規制しない第２係止部と、第２係止部の上下方向の動きを規制する状態又は規制しない状態に切り替え可能な第３係止部とを備える。このため、座面を脚部から取外すときは、第３係止部のみを操作すれば第２係止部が上下方向に動き、続けて第１係止部が左右方向に動くことで取外せる。また、座面を脚部に取付けるときは、第１係止部を左右方向に移動させながら係止させ、続けて第２係止部を上下方向に移動させて係止させ、さらに、第３係止部を操作することによって取付けられる。このように、係止部を直接操作するのは第３係止部のみで済み、簡単な操作で座面を脚部から着脱させることができる。また、第１係止部及び第２係止部は、座面の着脱のときに移動させるのみで直接の操作は必要ない。このため、第１係止部及び第２係止部を固着された部品、すなわち可動しない部品で構成することができ、故障や破損のおそれを少なくすることができる。
【００１０】
２）本発明のベンチの好ましい例は、
前記第３係止部が、前記座面と前記脚部との互いに対応する位置に設けられた孔、及び前記孔に挿入される棒状部材を備えることを特徴とする。
【００１１】
本発明のベンチの好ましい例によれば、第３係止部が、座面と脚部との互いに対応する位置に設けられた孔、及び孔に挿入される棒状部材を備えるため、簡単な構成とすることができる。
【００１２】
３）本発明のベンチの好ましい例は、
前記棒状部材が前記孔から脱落するのを防止するための、前記孔に挿入され前記孔から突出した前記棒状部材の軸に装着される線バネを備えることを特徴とする。
【００１３】
本発明のベンチの好ましい例によれば、線バネによって棒状部材の脱落を防止できるため、上記の発明同様に簡単な構成とすることができる。
【００１４】
４）本発明のベンチの好ましい例は、
前記線バネと前記棒状部材とを引き抜くための紐状部材を備え、
前記線バネと前記棒状部材とが前記紐状部材で連結されていることを特徴とする。
【００１５】
本発明のベンチの好ましい例によれば、紐状部材を引っ張ることで線バネと棒状部材とが外れるため、緊急時等において、速やかに座面を取り外すことができる。また、線バネと棒状部材とが連結されているため、紐状部材を一度掴むだけで線バネと棒状部材との両方を引き抜くことができる。
【００１６】
５）本発明のベンチの好ましい例は、
前記第３係止部が１箇所であることを特徴とする。
【００１７】
本発明のベンチの好ましい例によれば、第３係止部が１箇所であるため、１箇所の操作で座面が脚部より取り外せる状態となり、緊急時等において速やかに座面を取り外すことができる。
【００１８】
６）本発明のベンチの好ましい例は、
前記座面が、上面の板部、及び前記板部の底面かつ前記板部の縁の全周に設けられたフレームを備え、
前記フレームが取っ手として利用できることを特徴とする。
【００１９】
本発明のベンチの好ましい例によれば、フレームが取っ手を兼用しているため、構成を簡素なものとすることができる。また、フレームが座面の全周にあるため、運搬する際に持つ場所を選ぶ必要がなくなる。
【００２０】
７）本発明のベンチの好ましい例は、
前記フレームの底面に、前記フレームを地面に載置させたときに前記地面から浮かせて、前記フレームを取っ手として掴むための隙間を設ける凸部を設けたことを特徴とする。
【００２１】
本発明のベンチの好ましい例によれば、凸部によって、座面を地面等に載置させたときに地面との間に隙間ができるため、フレームを掴みやすくすることができる。
【００２２】
８）本発明のベンチの好ましい例は、
前記座面の少なくとも２箇所に、座面を運搬する人が装着するための肩紐を備えることを特徴とする。
【００２３】
本発明のベンチの好ましい例によれば、肩紐によって担架と使用しているときの重さを運搬する人の肩に分散させることができ、運搬に際する負荷を低減することができる。また、万一、運搬する人の手が滑ってしまったときの、座面の落下を防止できる。
【発明の効果】
【００２４】
以上、説明したように、本発明のベンチによれば、ベンチの座面をそのまま傷病者の運搬に用いながら、簡単な操作で座面を脚部から着脱でき、さらに、故障を少なくすることができる。
【図面の簡単な説明】
【００２５】
【図１】本発明の一実施形態に係るベンチを示す図である。
【図２】図１に示すベンチの分解図である。
【図３】図１に示すベンチの平面図である。
【図４】図１に示すベンチの正面図である。
【図５】座面を脚部から取外す際の動作を説明する図である。
【発明を実施するための形態】
【００２６】
以下、本発明のベンチの実施の形態について、添付図面を参照して詳細に説明する。図１は本発明の一実施形態に係るベンチを示す図、図２は図１に示すベンチの分解図、図３は図１に示すベンチの平面図、図４は図１に示すベンチの正面図である。なお、図２及び図３では、座面の一部を透過させて表わしている。また、図４では、脚部の一部を透過させて、第１係止部、第２係止部、及び第３係止部を記している。
【００２７】
図１ないし図４に示すように、本実施形態のベンチ１０は、座面２０と、脚部３０と、第１係止部４０と、第２係止部４３と、第３係止部４４とを備える。
【００２８】
座面２０は、板部２１と、フレーム２２と、肩紐２８と、固定紐２９とを備える。板部２１は、座面２０の上面に設けられた板状部材からなるもので、座面２０を脚部３０に装着した通常時はこの板部２１の上に座ることができる。また、災害時等の傷病者発生時には、座面２０を脚部３０から取外して板部２１の上に傷病者を横たわらせることができる。
【００２９】
フレーム２２は、金属管、形鋼等からなるもので、座面２０の下側を構成し、枠２３と、凸部２７と、第１桟２４と、第２桟２５と、中桟２６とを備える。枠２３は、上記板部２１の縁の全周にわたって設けられるもので、座面２０を担架として使用する際、運搬者が取っ手としても使用することができる。また、枠２３の底面に設けられた凸部２７によって、座面２０を地面又は床面に載置させたときに、地面等と枠２３との間に隙間ができ、この隙間に指を差し込むことができる構成となっている。
【００３０】
第１桟２４、第２桟２５、及び中桟２６は、上記枠２３の内側の幅方向に沿って設けられたものであり、板部２１の補強の役目も果たす。第１桟２４は、図３及び図４において左側に位置する桟であり、第２桟２５は、同じく図の右側に位置する桟である。なお、枠２３、第１桟２４、及び第３桟は、後述する第１係止部４０、第２係止部４３、及び第３係止部４４の一部を構成する。中桟２６は、第１桟２４と第２桟２５との中間に適宜設けられる桟であり、本実施形態では２本設けられている。
【００３１】
肩紐２８は、フレーム２２の長手方向の両端部近傍に設けられるもので、通常時は折畳まれた状態で板部２１の裏側に収納されるが、傷病者を運搬する際は引き出して、運搬する人の肩や首に掛けることができる。
【００３２】
固定紐２９は、フレーム２２の長手方向の略中央に設けられるもので、肩紐２８同様に通常時は折畳まれた状態等で板部２１の裏側に収納されるが、傷病者を運搬する際は引き出して、傷病者が座面２０から落下しないよう固定することができる。
【００３３】
脚部３０は、脚柱３１と、第１梁３２と、第２梁３３と、桁３４とを備える。脚柱３１は、ベンチ１０の略四隅に立設され、ベンチ１０全体を支えるものである。第１梁３２は、４本の脚柱３１のうち、図３及び図４において、ベンチ１０の左側の端部近傍に設けられた２本の脚柱３１の上端を連結する部材である。第２梁３３は、４本の脚柱３１のうち、図３及び図４において、ベンチ１０の右側の端部近傍に設けられた２本の脚柱３１の上端を連結する部材である。また、座面２０が脚部３０に装着された状態において、第１梁３２は座面２０の第１桟２４に隣接し、第２梁３３は第２桟２５に隣接する。なお、第１梁３２及び第２梁３３は、後述する第１係止部４０、第２係止部４３、及び第３係止部４４の一部を構成する。
【００３４】
桁３４は、ベンチ１０の前後方向の端部に２本設けられ、左右端部近傍の第１梁３２と第２梁３３とを連結するものである。また、桁３４は、座面２０が脚部３０に装着された状態において、フレーム２２の第１桟２４、第２桟２５、及び中桟２６がその上面に載置されることで、座面２０を支える作用も有する。
【００３５】
第１係止部４０は、座面２０を脚部３０に対して前後方向（幅方向）及び上下方向の動きを規制するもので、本実施形態では、図２及び図３左下の拡大図に示すように、第１梁３２のうち第１桟２４に隣接する面に設けられた第１孔４１を２箇所と、第１桟２４のうち第１梁３２に隣接する面に設けられた前記第１孔４１に対応する第１ピン４２を２箇所に備える。この第１孔４１に第１ピン４２が挿入されることで、ベンチ１０に対して前後方向及び上下方向の動きが規制される。また、第１孔４１及び第２ピン４６が２箇所に設けられているため、脚部３０に対して座面２０が捻れる方向の動きに対しても規制することができる。
【００３６】
第２係止部４３は、座面２０を脚部３０に対して前後方向及び左右方向（長手方向）の動きを規制するもので、本実施形態では、図３に示すように、第２梁３３に第２桟２５が隣接することによって、座面２０の右方向の動きが規制されている。なお、左方向への動きは、上述の第１係止部４０を構成する第１梁３２と第１桟２４とが隣接することによって既に規制されている。このため、本実施形態では第２係止部４３に左方向への動きを規制させてはいないが、他の実施形態において、第２桟２５のうち第２梁３３とは反対側の面に当接するよう、第２桟２５の左方向への動きを規制するブラケット等を設けてもよい。また、座面２０の枠２３の右端部近傍が、第２梁３３に嵌め合わされている。これによって、座面２０の前後方向の動きも規制される。
【００３７】
第３係止部４４は、第２係止部４３の上下方向の動きを規制する状態又は規制しない状態に切り替え可能に操作できるもので、図２及び図３右下の拡大図に示すように、第２梁３３及び第２桟２５との互いに対応する位置に設けられた第２孔４５、すなわち第２梁３３及び第２桟２５とを貫通する第２孔４５と、この第２孔４５に着脱可能に挿入される棒状部材としての第２ピン４６とを備える。この第２ピン４６が挿入されることで第２梁３３と第２桟２５との上下方向の動きが規制され、よって第２係止部４３の上下方向の動きが規制される。
【００３８】
第２ピン４６は、第２梁３３及び第２桟２５とに設けられた第２孔４５に挿入される。そして貫通した第２ピン４６の先端に、第２ピン４６の軸方向と直交する方向に線バネ４７が装着され、通常時には第２ピン４６が抜けてしまうのを防止している。この線バネ４７として本実施形態ではスナップピンを採用しているが、その他として松葉ピン、だるまピン等の同様の作用を有するものを採用することができる。
【００３９】
また、第２ピン４６と線バネ４７とは紐状部材４８で連結されており、この紐状部材４８を引っ張ることで線バネ４７を引き抜くことができ、さらに紐状部材４８を引っ張ることで第２ピン４６をも引き抜くことができる構成となっている。また、第３係止部４４は、本実施形態では１箇所となっており、１本の第２ピン４６を引き抜くことで第２係止部４３の上下方向の動きを規制しない状態とすることができる。
【００４０】
なお、本実施形態のベンチ１０では、座面２０のフレーム２２や脚部３０に金属製の角パイプを用いているが、これに限定されず、Ｌ形鋼、Ｃ形鋼等の各種の形鋼を使用することができる。例えば、第１梁３２、第２梁３３、第１桟２４、及び第２桟２５をＬ形鋼にすれば、第１孔４１及び第２孔４５よりフレーム２２や脚部３０の内部に水分が侵入せず、腐食に対して有効である。また、座面２０のフレーム２２や脚部３０に、合成樹脂製又は木製の材料を使用することもできる。また、ベンチ１０に、背もたれを設けることもできる。
【００４１】
次に、図４及び図５をも参照して、本実施形態のベンチ１０の使用方法を説明する。図４は本実施形態のベンチ１０において、座面２０を脚部３０に装着した状態での正面図である。また、図５は第３係止部による第２係止部４３の上下方向の動きを規制しない状態において、座面２０の片方を持ち上げた状態を示す図である。なお、図４及び図５では、説明をし易くするために、第１係止部４０、第２係止部４３、及び第３係止部４４を透過させて記している。
【００４２】
図４に示すように、第１係止部４０及び第２係止部４３が嵌め合わされており、かつ、第３係止部４４の第２ピン４６が第２孔４５に挿入されて第２係止部４３の上下方向の動きが規制されている状態では、座面２０が脚部３０に対して前後左右方向及び上下方向の動きが規制され、座面２０が脚部３０より離れることはない。
【００４３】
次に、座面２０を脚部３０から取外すときは、先ず、線バネ４７と第２ピン４６とを連結している紐状部材４８を掴み、線バネ４７が抜ける方向に引っ張り、線バネ４７を第２ピン４６から外す。次に、紐状部材４８を第２ピン４６が抜ける方向に引っ張り、第２ピン４６を第２孔４５より引き抜く。すると、図５に示すように、第２桟２５が第２梁３３に対して上方向に移動可能となり座面２０の右端を持ち上げることができる。そして、この状態で座面２０を右方向に移動させれば、第１係止部４０も外れて、座面２０を脚部３０から完全に取外すことができる。
【００４４】
一方、座面２０を脚部３０に取付けるときは、上記の逆の手順をすればよく、先ず、座面２０の右側を持ち上げながら左方向に移動させ、第１係止部４０の第１ピン４２を第１孔４１に挿入する。次に、座面２０の右端を下ろし、第１係止部４０及び第２係止部４３によって、座面２０全体の前後左右方向の動きと座面２０左側での上下方向の動きを規制する。次に、第３係止部４４の第２ピン４６を第２孔４５に挿入し、第２ピン４６に線バネ４７を装着することで、第３係止部４４によって座面２０右側の上下方向の動きを規制する。これらによって、座面２０全体の前後左右方向及び上下方向の動きが規制され、座面２０が脚部３０に対して固定される。
【００４５】
以上、説明したように、本実施形態のベンチによれば、１本の第２ピンを抜くだけで座面と脚部との固定が解除され、簡単に座面を脚部から取外すことができる。また、第２ピンを抜くとき、線バネと第２ピンとを連結する紐状部材を引っ張るだけで線バネと第２ピンの両方を抜くことができ、速やかに操作することができる。また、座面を脚部に装着するときも、第１ピンを第１孔に挿入して座面を下ろし、第２ピンを第２孔に挿入するだけででき、操作を簡単なものとすることができる。
【００４６】
また、第１係止部及び第２係止部は、座面を移動させることで係止又は非係止の状態とすることができる。このため、第１係止部及び第２係止部は、直接の操作が必要なく、互いに係合する固着された部品で構成することができる。従って、故障や破損が少なく、耐久性に富んだベンチとすることができる。また、第３係止部においても、第２孔、第２ピン、及び線バネという簡素な構成となっており、ここでも故障や破損を少なくすることができる。
【００４７】
また、座面のフレームの枠が座面の全周にわたって設けられ、取っ手としても使用できるため、傷病者を運搬する側の人数が増減しても掴む場所に困ることがない。また、同様にフレームの底面に凸部を備え、フレームと地面との間に隙間を有するため、座面を地面等に載置させることが容易である。また、肩紐を備えるため、万一、運搬する人の手が滑ってしまっても、座面を落下させることがない。
【００４８】
なお、本実施形態のベンチは、本発明の例示であり、発明の趣旨を逸脱しない範囲においてその構成を適宜変更することができる。例えば、本実施形態のベンチでは長手方向を左右方向としたが、長手方向を前後方向として構成することもできる。
【符号の説明】
【００４９】
１０・・ベンチ、
２０・・座面、２１・・板部、２２・・フレーム、２３・・枠、２４・・第１桟、２５・・第２桟、２６・・中桟、２７・・凸部、２８・・肩紐、２９・・固定紐、
３０・・脚部、３１・・脚柱、３２・・第１梁、３３・・第２梁、３４・・桁、
４０・・第１係止部、４１・・第１孔、４２・・第１ピン、
４３・・第２係止部、
４４・・第３係止部、４５・・第２孔、４６・・第２ピン、４７・・線バネ、４８・・紐状部材、
【図１】
2018050941.tif 000003
【図２】
2018050941.tif 000004
【図３】
2018050941.tif 000005
【図４】
2018050941.tif 000006
【図５】
2018050941.tif 000007